(57)【要約】軸（６）回りに回転可能である螺旋ブレードを少なくとも一つ備えており、前記ブレード（４）の断面が飛行機の翼の輪郭（１５）の形状に作られているスクリュータービン装置（１）であって、前記飛行機の翼の輪郭（１５）が前記ブレード（４）の径方向外側端部から前記スクリュータービン（１）のシャフト（２）へと延びているスクリュータービン装置。
2006516698.tif 000002
【特許請求の範囲】
【請求項１】
軸（６）回りに回転可能である螺旋ブレード（４）を少なくとも一つ備えており、前記ブレード（４）の断面が飛行機の翼の輪郭（１５）の形状に作られているスクリュータービン装置（１）であって、前記飛行機の翼の輪郭（１５）が前記ブレード（４）の径方向外側端部から前記スクリュータービン（１）のシャフト（２）へと延びていることを特徴とするスクリュータービン装置。
【請求項２】
前記スクリュータービン（１）の前記軸（６）は流動流体に対して傾いており、前記傾きは前記スクリュータービン（１）のピッチ角に実質的に一致していることを特徴とする請求項１による装置。
【請求項３】
前記スクリュータービン（１）は、軸回りに回転可能に取り付け台（２０，２２）に連結されており、前記軸は、前記スクリュータービン（１）の前記中心軸（６）と一致していないことを特徴とする請求項１による装置。
【請求項４】
前記ブレード（４）のピッチが前記中心軸（６）に沿って変化することを特徴とする請求項１から３までのいずれか１つ以上による装置。
【発明の詳細な説明】
【技術分野】
【０００１】
本発明はタービンに関し、より詳細には、流動する液体及び気体での両方の使用に適したスクリュータービンに関するものである。
【背景技術】
【０００２】
流れている空気からエネルギーを回収するのに風車を利用することは公知である。流れている水の運動エネルギーを利用するように設計されたタービンは、特に、水槽とタービンの間で高低差がある発電所に関連して、多くの選択肢がある。
【０００３】
大きな風力発電所で使用されているタイプの風車は、大きな騒音を発生させており、また、景観を損ねると多くの人々が思っている。しかし、その信頼性は申し分のないものである。
【０００４】
文献GB 2057584は、多数のヘリカルロータの組み合わせを備えた風車に関するものである。一つの実施形態では、タービンブレードが、タービンの回転軸から多少離れたところに配置された、飛行機の翼の輪郭からなる略ダリウス形で作られている。WO 01/48374に記載のタービンでは、タービンの回転軸から多少離して配置された飛行機の翼形状をした主タービンブレードに、さらに、飛行機の翼形状をした別の副タービンブレードが設けられており、副タービンブレードの縦軸が主タービンブレードの縦軸に対して傾いている。
【０００５】
海流や波の運動から運動エネルギーを回収することは難しい。この種の設備が特に悪天候の間に晒される大きな力に耐えられるような大きさにプラントを作ることに伴う困難がその理由であろう。
【発明の開示】
【０００６】
本発明の目的は、従来技術の欠点をなくすことである。
【０００７】
本発明によれば、以下の記載及び特許請求の範囲で詳しく述べた特徴によって目的は達成される。
【０００８】
適切に成形したスクリュー形状を有するスクリュータービンを流体の流れの中に配置することにより、比較的高い効率が達成される。
【０００９】
スクリュータービンは、軸の回りを巻いているスクリューの輪郭で構成されている。実際のスクリューの輪郭は、軸から径方向に突出し、断面の厚さが比較的小さい。スクリューの輪郭は、軸に沿ってピッチが一定であっても変動していてもよい。
【００１０】
流体の流れが、スクリュータービンの中心軸に対してスクリューピッチとほぼ同じ角度で流れてスクリュータービンを通り過ぎると、流体の流れは、中心軸の一方の側にあるスクリュータービンのスクリューブレードに実質的に平行にスクリュータービンを流れ、その一方で、中心軸の反対側における流体の流れは、スクリューブレードに当たり、ブレードのこの部分が流体の流れに対する圧力面となる。これにより、スクリュータービンはそれ自身の軸回りに回転する。
【００１１】
本発明によれば、ブレードの断面は、飛行機の翼と同様の形状になっている。よって、流体の流れ方向に平行なスクリューブレードの断面は、通常、飛行機の翼の輪郭と類似の輪郭を確定し、中心軸から突出している。
【００１２】
従来技術によるスクリュータービンに加えられるトルクのほとんどは、ある領域、すなわち、圧力面に向かって流れる流体から生じる。この圧力面は、流れ方向に対して傾いており、かつ、回転軸から多少離れて配置されている。流動面(flow face)と呼ぶことがあるタービンブレードの一部分が流れ方向に対して上流の位置に向けて回転する本発明のスクリュータービンの場合、トルクは、タービンブレードが流れ方向に対して傾く前であっても、飛行機の翼のような輪郭と実質的に平行に流れ、それによってタービンブレードに接線方向の力を与える流体によっても生成される。
【００１３】
圧力面及び流動面は、スクリュータービンが回転している間、スクリュータービンに沿って動く。この種の形状を用いることにより、スクリューブレードの効率が向上する。
【００１４】
スクリュータービンの中心軸に対する流体の流れ方向がスクリューピッチとだいたい同じである限り、スクリュータービンは、任意の向きで使用してもよい。
【００１５】
例えば水中に沈めるなどの応用例によっては、スクリュータービンに回転可能な取り付け台を設けてもよい。このような応用例の場合、タービンの構造が浮力部材を有し、この浮力部材がタービンを上向きの位置にし、水の流れでタービンの軸が流れ方向に対して好ましい位置に回転するようにしてもよい。タービンは、さらに、例えば係留されている筏の下にある対応する懸垂装置から吊り下げて使用することもできる。
【００１６】
タービンブレードの形状は、とりわけ、適用例毎の流体の粘度及び密度に合わせて調整しなければならない。
【００１７】
スクリュータービンのシャフトは、それ自体公知の方法によって、電力生成のために発電機に連結する、又はエネルギーを必要とする他の装置、例えばポンプに連結してもよい。
【００１８】
以下に、添付の図面に図示した好ましい実施形態の非制限的な例を説明する。
【発明を実施するための最良の形態】
【００１９】
図面において、参照符号１はスクリュータービンを示しており、このスクリュータービンは、シャフト２と、螺旋タービンブレード４とを備えており、シャフト２はベアリング３に回転可能に支持されている。
【００２０】
図１は、スクリュータービン１を通って／通過して流れる流体の流入方向からのスクリュータービン１を示している。十分な効率を得るためには、スクリュータービン１の中心軸６に対する流れ方向が、図２に示すように、タービンブレード４のピッチ角８とほぼ等しくなければならない。流動流体は、図１を参照すると、中心軸６の下側であって、タービンブレード４の下方に位置する図１では参照符号１２で示した部分の間の開口部１０を通過する。
【００２１】
タービンブレードの、中央軸６から上方に突出した部分１４は、流れに対する障害部を構成しており、したがって、流体がブレード部分１４に当たったときに、流動流体から大きな圧力を受ける。これにより、スクリュータービンは、自己の中心軸６回りに回転させられる。
【００２２】
タービンブレード４の断面形状がタービン１の水力効率に大きな影響を及ぼすことが分かっている。最大効率は、タービンブレード４の流れ方向に沿った断面が、図２に示すように、飛行機の翼のような断面形状１５で構成される場合に達成される。
【００２３】
流動流体は、タービンブレード４の上流端１６でタービンブレード４と出会うと分割され、断面形状１５の上面に沿って流れる流体は、公知の挙動から、必ず速度が上昇し、これにより静圧が下がり、断面形状１５の上面と下面の間で圧力差が生じる。この圧力差により、流体の流れ方向に対して上流方向に突出しているタービンブレード４のブレード部分に揚力が加わり、この結果、軸２回りのトルクが増す。
【００２４】
図２では、スクリュータービン１が水流の中に取り付けられている。スクリュータービン１のシャフト２は、両端においてベアリング３で支持されており、また、発電機１８に接続されている。ベアリング３は、構造部１７に連結されている。スクリュータービン１に向かって流れている水によりスクリュータービン１が回転し、これにより、発電機１８が電気エネルギーを生成できる。流れ方向は、図２に矢印で示されている。
【００２５】
図４を参照して、別の実施形態では、スクリュータービン１が水中に配置されている。スクリュータービン１のシャフト２は、ベアリング３を介して発電機１８に連結されている。スクリュータービン１及び発電機１８は、海底２２の土台２０に回転可能に連結されている。この実施形態の例では、タービンブレード４が十分な浮力を有するように作られている。浮力によりスクリュータービン１が直立位置に向けて上昇し、一方で、流動流体の力がスクリュータービン１を流れ方向に、スクリュータービン１が流動流体の方向に対して好ましい向きになるまで回転させる。流れ方向は、図４に矢印で示されている。
【００２６】
他の実施形態では、スクリュータービンを適当な固定具に取り付けてもよいし、タービン用の堰堤の一部を形成してもよい。
【図面の簡単な説明】
【００２７】
【図１】図１は、流体の上流側から見たスクリュータービンを概略的に示している。
【図２】図２は、スクリュータービンが流体の流れの中に取り付けられている実施形態例を概略的に示している。
【図３】図３は、図２におけるII-II断面を示している
【図４】図４は、スクリュータービンが水中に回転可能に取り付けられている実施形態例を概略的に示している。
【図１】
2006516698.tif 000003
【図２】
2006516698.tif 000004
【図３】
2006516698.tif 000005
【図４】
2006516698.tif 000006
【国際調査報告】
2006516698.tif 000007
2006516698.tif 000008